(57)【要約】【課題】２次転写部での転写効率を向上させる。【解決手段】トナー像を担持する感光体と、中間転写ベルトと、感光体が担持するトナー像を、１次転写電流により中間転写ベルトに転写する１次転写部と、中間転写ベルトに転写されたトナー像を用紙に転写する２次転写部と、ジョブを受け付ける受付部２０２と、受付部２０２が受け付けたジョブに基づく感光体の駆動パラメーター値Ａを特定する特定部２０６と、特定部２０６が特定した駆動パラメーター値Ａと第１閾値とに基づいて、１次転写電流の電流値を、第１電流値Ｉ１と、該第１電流値よりも大きい第２電流値Ｉ２とのいずれかに設定する設定部２０６とを備える。【選択図】図６
2020148846.tif 000002
【特許請求の範囲】
【請求項１】
トナー像を担持する像担持体と、
中間転写体と、
前記像担持体が担持する前記トナー像を、転写電流により前記中間転写体に転写する１次転写部と、
前記中間転写体に転写された前記トナー像を記録媒体に転写する２次転写部と、
ジョブを受け付ける受付部と、
前記受付部が受け付けたジョブに基づく前記像担持体の駆動パラメーター値を特定する特定部と、
前記特定部が特定した駆動パラメーター値と所定値とに基づいて、前記転写電流の電流値を、第１電流値と、該第１電流値よりも大きい第２電流値とのいずれかに設定する設定部とを備える、画像形成装置。
【請求項２】
前記特定部は、前記受付部が受け付けたジョブにより駆動される前記像担持体の前記駆動パラメーター値を特定する、請求項１に記載の画像形成装置。
【請求項３】
前記特定部は、前記２次転写部が所定数の前記記録媒体に対して前記トナー像を転写する毎の単位駆動パラメーター値の積算値を、前記駆動パラメーター値として特定する、請求項１に記載の画像形成装置。
【請求項４】
前記特定部は、前記受付部が受け付けたジョブが完了するときの前記像担持体の累計駆動パラメーター値から、前記受付部が該ジョブを受け付ける前の前記像担持体の累計駆動パラメーター値を減算した値を、前記駆動パラメーター値として特定する、請求項１〜請求項３のいずれか１項に記載の画像形成装置。
【請求項５】
前記特定部は、前記受付部が受け付けたジョブにより駆動される前記像担持体の駆動パラメーター値を、前記駆動パラメーター値として特定する、請求項１〜請求項３のいずれか１項に記載の画像形成装置。
【請求項６】
前記特定部は、前記受付部が第１のジョブを受け付けたときから、所定時間が経過するまでに前記受付部が第２のジョブを受け付けたときにおいて、前記第１のジョブと前記第２のジョブとが統合されたジョブに基づく前記像担持体の前記駆動パラメーター値を特定する、請求項１〜請求項５のいずれか１項に記載の画像形成装置。
【請求項７】
前記像担持体を除電する除電部をさらに備え、
前記特定部は、前記除電部が前記像担持体を除電した後のジョブに基づく前記像担持体の前記駆動パラメーター値を特定する、請求項１〜請求項５のいずれか１項に記載の画像形成装置。
【請求項８】
前記特定部は、前記転写電流が出力されている期間における前記駆動パラメーター値を特定する、請求項１〜請求項７のいずれか１項に記載の画像形成装置。
【請求項９】
前記画像形成装置の環境に基づいて、前記設定部が前記転写電流の電流値を前記第２電流値に設定することを禁止する禁止部をさらに備える、請求項１〜請求項８のいずれか１項に記載の画像形成装置。
【請求項１０】
前記設定部は、前記画像形成装置の環境に基づいて、前記転写電流の電流値を、前記第２電流値と、前記第２電流値よりも大きい第３電流値とのいずれかに設定する、請求項１〜請求項９のいずれかに記載の画像形成装置。
【請求項１１】
前記所定値は、第１所定値と、該第１所定値よりも小さい第２所定値とを含み、
前記設定部は、
前記駆動パラメーター値が前記第１所定値よりも大きい場合には、前記第１電流値を設定し、
前記駆動パラメーター値が前記第１所定値以下でありかつ前記第２所定値よりも大きい場合には、前記第２電流値を設定し、
前記駆動パラメーター値が前記第２所定値以下である場合には、前記第３電流値を設定する、請求項１０に記載の画像形成装置。
【請求項１２】
前記設定部は、前記画像形成装置の環境に基づいた前記所定値と、前記特定部が特定した駆動パラメーター値とに基づいて、前記転写電流の電流値を、前記第１電流値と、前記第２電流値のいずれかに設定する、請求項１〜請求項１１のいずれか１項に記載の画像形成装置。
【請求項１３】
前記像担持体に作像する作像部をさらに備え、
前記設定部が設定した電流値に応じて、前記作像部の作像条件を変更する条件変更部をさらに備える、請求項１〜請求項１２のいずれか１項に記載の画像形成装置。
【請求項１４】
複数の色それぞれに対応する該複数の前記１次転写部を有し、
前記設定部は、前記複数の１次転写部の少なくとも１つに用いられる前記転写電流の電流値を、前記第２電流値に設定する、請求項１〜請求項１３のいずれか１項に記載の画像形成装置。
【請求項１５】
前記駆動パラメーター値は、前記像担持体の駆動量と、前記像担持体を用いて画像が形成された記録媒体の量と、前記像担持体の駆動時間とのうちのいずれかである、請求項１〜請求項１４のいずれか１項に記載の画像形成装置。
【請求項１６】
ジョブを受け付けるステップと、
前記ジョブに基づく像担持体の駆動パラメーター値を特定するステップと、
前記駆動パラメーター値と所定値とに基づいて、中間転写体に転写する転写電流の電流値を、第１電流値と、該第１電流値よりも大きい第２電流値とのいずれかに設定するステップとを備える、画像形成装置の制御方法。
【発明の詳細な説明】
【技術分野】
【０００１】
本開示は、画像形成装置、および画像形成装置の制御方法に関する。
【背景技術】
【０００２】
従来、感光体が担持しているトナー像を中間転写体（たとえば、中間転写ベルト）に転写する１次転写部と、該中間転写体に転写されたトナー像を記録媒体に転写する２次転写部とを有する画像形成装置が知られている。また、たとえば、特許文献１に記載の画像形成装置は、画像形成中に中間転写体の電気抵抗の変動があっても、適切な転写電流が得られるように転写電圧を制御する。
【先行技術文献】
【特許文献】
【０００３】
【特許文献１】特開２０１５−２２２４０７号公報
【発明の概要】
【発明が解決しようとする課題】
【０００４】
しかしながら、特許文献１に記載の画像形成装置では、１次転写電流が低い場合にはトナーの帯電量が小さくなることから２次転写部での２次転写効率が低下する場合があるという問題があった。
【０００５】
本開示は、上記のような実情に鑑みてなされたものであって、ある局面において、２次転写部での転写効率を向上させる画像形成装置、および画像形成装置の制御方法が開示される。
【課題を解決するための手段】
【０００６】
ある局面に従うと、画像形成装置は、トナー像を担持する像担持体と、中間転写体と、像担持体が担持するトナー像を、転写電流により中間転写体に転写する１次転写部と、中間転写体に転写されたトナー像を記録媒体に転写する２次転写部と、ジョブを受け付ける受付部と、受付部が受け付けたジョブに基づく像担持体の駆動パラメーター値を特定する特定部と、特定部が特定した駆動パラメーター値と所定値とに基づいて、転写電流の電流値を、第１電流値と、該第１電流値よりも大きい第２電流値とのいずれかに設定する設定部とを備える。
【０００７】
ある局面において、特定部は、受付部が受け付けたジョブにより駆動される像担持体の駆動パラメーター値を特定する。
【０００８】
ある局面において、特定部は、２次転写部が所定数の記録媒体に対してトナー像を転写する毎の単位駆動パラメーター値の積算値を、駆動パラメーター値として特定する。
【０００９】
ある局面において、特定部は、受付部が受け付けたジョブが完了するときの像担持体の累計駆動パラメーター値から、受付部が該ジョブを受け付ける前の像担持体の累計駆動パラメーター値を減算した値を、駆動パラメーター値として特定する。
【００１０】
ある局面において、特定部は、受付部が受け付けたジョブにより駆動される像担持体の駆動パラメーター値を、駆動パラメーター値として特定する。
【００１１】
ある局面において、特定部は、受付部が第１のジョブを受け付けたときから、所定時間が経過するまでに受付部が第２のジョブを受け付けたときにおいて、第１のジョブと第２のジョブとが統合されたジョブに基づく像担持体の駆動パラメーター値を特定する。
【００１２】
ある局面において、像担持体を除電する除電部をさらに備え、特定部は、除電部が像担持体を除電した後のジョブに基づく像担持体の駆動パラメーター値を特定する。
【００１３】
ある局面において、特定部は、転写電流が出力されている期間における駆動パラメーター値を特定する。
【００１４】
ある局面において、画像形成装置の環境に基づいて、設定部が転写電流の電流値を第２電流値に設定することを禁止する禁止部をさらに備える。
【００１５】
ある局面において、設定部は、画像形成装置の環境に基づいて、転写電流の電流値を、第２電流値と、第２電流値よりも大きい第３電流値とのいずれかに設定する。
【００１６】
ある局面において、所定値は、第１所定値と、該第１所定値よりも小さい第２所定値とを含み、設定部は、駆動パラメーター値が第１所定値よりも大きい場合には、第１電流値を設定し、駆動パラメーター値が第１所定値以下でありかつ第２所定値よりも大きい場合には、第２電流値を設定し、駆動パラメーター値が第２所定値以下である場合には、第３電流値を設定する。
【００１７】
ある局面において、設定部は、画像形成装置の環境に基づいた所定値と、特定部が特定した駆動パラメーター値とに基づいて、転写電流の電流値を、第１電流値と、第２電流値のいずれかに設定する。
【００１８】
ある局面において、像担持体に作像する作像部をさらに備え、設定部が設定した電流値に応じて、作像部の作像条件を変更する条件変更部をさらに備える。
【００１９】
ある局面において、複数の色それぞれに対応する該複数の１次転写部を有し、設定部は、複数の１次転写部の少なくとも１つに用いられる転写電流の電流値を、第２電流値に設定する。
【００２０】
ある局面において、駆動パラメーター値は、像担持体の駆動量と、像担持体を用いて画像が形成された記録媒体の量と、像担持体の駆動時間とのうちのいずれかである。
【００２１】
別の局面に従うと、画像形成方法は、ジョブを受け付けるステップと、ジョブに基づく像担持体の駆動パラメーター値を特定するステップと、駆動パラメーター値と所定値とに基づいて、中間転写体に転写する転写電流の電流値を、第１電流値と、該第１電流値よりも大きい第２電流値とのいずれかに設定するステップとを備える。
【発明の効果】
【００２２】
この開示によれば、２次転写部による転写効率を向上させる画像形成装置および画像形成装置の制御方法を提供することができる。
【図面の簡単な説明】
【００２３】
【図１】画像形成装置の内部構成を示す図である。
【図２】画像形成装置のハードウェア構成を示した図である。
【図３】２次転写電圧と、２次転写効率との関係を示す図である。
【図４】１次転写部による１次転写後のトナーの帯電量分布の一例を示す図である。
【図５】１次転写電流と、転写メモリーによる濃度ムラを許容できる印刷枚数との関係を示す図である。
【図６】制御装置の機能構成例を示す図である。
【図７】本実施形態の画像形成装置の処理のフローチャートである。
【図８】別の実施形態の画像形成装置の処理のフローチャートである。
【図９】別の実施形態のジョブの概念を説明するための図である。
【図１０】用紙と、１次転写電流が出力されている期間との関係を示す図である。
【図１１】禁止部が用いるテーブルの一例である。
【図１２】設定部が用いるテーブルの一例である（その１）。
【図１３】設定部が用いるテーブルの一例である（その２）。
【図１４】別の実施形態の画像形成装置の処理のフローチャートである。
【図１５】１次転写電流を第２電流値に設定した場合の作像条件の変更の一例である。
【図１６】１次転写電流を変更する色などの一例を示した図である。
【発明を実施するための形態】
【００２４】
＜第１実施形態＞
本発明に基づいた実施の形態における画像形成装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。また、各実施の形態における構成を適宜組み合わせて用いることは当初から予定されていることである。
【００２５】
［画像形成装置の構成例］
図１を参照して、本実施の形態における画像形成装置１００の概略構成について説明する。図１は、画像形成装置１００の内部構成を示す図である。
【００２６】
図１には、カラープリンターとしての画像形成装置１００が示されている。以下では、カラープリンターとしての画像形成装置１００について説明するが、画像形成装置１００は、カラープリンターに限定されない。たとえば、画像形成装置１００は、モノクロプリンターであってもよいし、モノクロプリンター、カラープリンターおよびファクシミリを備える複合機（ＭＦＰ：Multi-Functional  Peripheral）であってもよい。
【００２７】
画像形成装置１００は、形成部としての画像形成ユニット１Ａ〜１Ｄと、中間転写ベルト１１（中間転写体）と、１次転写ローラー１２と、２次転写ローラー１３と、クリーニング部１５と、排紙トレー１６と、カセット１７と、制御装置１８と、露光制御部１９と、定着部としての定着器３０と、排紙ローラー３６と、反転搬送経路３８などを含む。
【００２８】
画像形成ユニット１Ａは、イエロー（Ｙ）のトナー画像を形成する。画像形成ユニット１Ｂは、マゼンタ（Ｍ）のトナー画像を形成する。画像形成ユニット１Ｃは、シアン（Ｃ）のトナー画像を形成する。画像形成ユニット１Ｄは、ブラック（ＢＫ）のトナー画像を形成する。
【００２９】
中間転写ベルト１１は、無端状のベルトであり、支持ローラー６３を含む複数の支持ローラーにより張架されている。複数の支持ローラーのうち少なくとも一つの駆動ローラーが回転することにより、中間転写ベルト１１は、矢印２１の方向に周回駆動する。画像形成ユニット１Ａ〜１Ｄは、それぞれ、中間転写ベルト１１の駆動方向に沿って順に配置されている。
【００３０】
画像形成ユニット１Ａ〜１Ｄは、それぞれ、感光体２と、帯電部３と、現像部４と、感光体クリーニング部５と、露光部９と、除電部８０を備える。感光体２は、トナー画像を担持する像担持体である。一例として、感光体２には、その表面に感光層が形成された感光体ドラムが用いられる。感光体２は、中間転写ベルト１１の駆動方向に対応する方向に回転する。
【００３１】
感光体２は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光部９による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００３２】
帯電部３は、感光体２の表面を一様に、負極性で帯電する。帯電部３は、たとえば、導電性ゴムローラであり、感光体２に接触配置される。また、感光体２の回転駆動に従って、帯電部３は回転する。帯電部３は、電源４００により電圧（以下、帯電バイアスまたは帯電電圧ともいう。）が印加される。電源４００は所定の電圧に制御された直流電圧を出力する。感光体２は、帯電部３により一様に帯電される。つまり、帯電部３は、帯電電圧に基づいて、感光体２を帯電する。
【００３３】
露光部９は、露光制御部１９からの制御信号に応じて感光体２にレーザー光を照射し、指定された画像パターンに従って感光体２の表面を露光する。感光体２のうち、露光されない部分の表面電位は帯電電位に維持される。この露光により、感光体２上に各色（ＹＭＣＫ）の静電潜像が形成される。
【００３４】
現像部４は、感光体２上に形成された静電潜像をトナー画像として現像する。一例として、現像部４は、トナーおよびキャリアからなる二成分系の現像剤を用いて静電潜像を現像する。キャリアは、たとえば、鉄粉である。現像部４は現像ローラー４Ａを有する。現像ローラー４Ａには、たとえば、現像バイアスが印加される。トナーおよびキャリアの摩擦帯電により、トナーおよびキャリアは互いに逆極性の電気（たとえば、静電気）を帯びる。本実施形態では、トナーは−極性であり、キャリアは＋極性であるとする。つまり、このかく拌により、トナーは帯電する。なお、変形例として、トナーは＋極性であり、キャリアは−極性としてもよい。
【００３５】
感光体２において、露光されることにより表面電位が低下した低下部分にはトナーが供給される。一方、該低下部分以外の部分（表面電位が低下していない部分）には、トナーが供給されない。これにより、感光体２上に各色のトナー像が形成される。
【００３６】
また、１次転写ローラー１２は、中間転写ベルト１１を感光体２との間に挟み込む。たとえば、１次転写ローラー１２は、中間転写ベルト１１に当接して中間転写ベルト１１を感光体２に対して加圧する。本実施形態では、１次転写ローラー１２と、感光体２とにより挟み込まれる箇所が、１次転写部１２Ａ（１次転写ニップ）として機能する。１次転写部１２Ａは、感光体２上のトナー像を中間転写ベルト１１に転写する。
【００３７】
また、１次転写電流出力部６０は、各色それぞれの１次転写ローラー１２に１次転写電流を出力する。１次転写電流は、本開示の「転写電流」に対応する。該１次転写電流の出力により、１次転写ローラー１２にトナーと逆極性（つまり、＋極性）の転写バイアスが印加される。該転写バイアスにより転写電界が形成される。この転写電界により、接触されたトナー像は、中間転写ベルト１１に転写される。この転写バイアスは正極性である一方、帯電バイアスは負極性であることから、転写バイアスと帯電バイアスとは逆極性である。第１色〜第４色それぞれのトナー像（ＹＭＣＫそれぞれのトナー像）が、重なり合うように中間転写ベルト１１上に同期して転写される制御を、画像形成装置は実行する。このように、１次転写ローラー１２に転写電圧が印加されることにより、トナー像を中間転写ベルト１１に転写する。１次転写部１２Ａは、１次転写電流出力部６０から出力された転写電流により、感光体２が担持するトナー像を中間転写ベルト１１に転写する。なお、図１において、１次転写電流出力部６０の配置は一例であり、１次転写電流出力部６０を他の箇所に配置させるようにしてもよい。
【００３８】
カセット１７は、画像形成装置１００の下部に設けられている。カセット１７には、記録媒体が収容される。記録媒体は、たとえば、普通紙、上質紙、アート紙、コート紙、和紙、はがき用紙および透明フィルムなどを含む。以下では、記録媒体を「用紙１４」として説明する。用紙１４は、カセット１７から１枚ずつ２次転写部１３Ａに送られる。
【００３９】
２次転写部１３Ａは、支持ローラー６３と、２次転写ローラー１３とにより構成される。２次転写ローラー１３は、支持ローラー６３に対して加圧しかつ回転可能なローラーである。２次転写部１３Ａは、支持ローラー６３と、２次転写ローラー１３とにより形成されるニップ部でもある。制御装置１８は、用紙１４の送り出しおよび搬送のタイミングと、中間転写ベルト１１上のトナー画像（各色が重畳されたトナー画像）の位置とを同期させることで、２次転写部１３Ａに用紙１４の適切な位置にトナー画像を転写させる。その後、トナー画像が転写された用紙１４は、定着器３０に送られる。また、たとえば、２次転写電流出力部（特に図示せず）は、２次転写ローラー１３に対して２次転写電流を出力する。２次転写ローラー１３に対して２次転写電流が出力されることにより、２次転写ローラー１３には２次転写電圧が印加される。２次転写部１３Ａは、２次転写ローラー１３に印加される２次転写電圧により中間転写ベルト１１と２次転写ローラー２５間に電界が生じる。この電界の作用によって、中間転写ベルト１１上のトナー像が用紙１４に静電的に転写される。
【００４０】
定着器３０は、用紙１４に転写されているトナー画像（未定着のトナー画像）を熱で溶融し、用紙１４にトナー画像を定着させる。定着器３０は、加熱装置としての加熱ヒーター３２ｈによって加熱される加熱部材としての定着ローラー３２と、定着ローラー３２とともに表面上に未定着画像が形成された用紙１４を挟み込み、定着ローラー３２との間を通過させながら用紙１４上に未定着画像を定着させる加圧部材としての加圧ローラー３１と、定着温度検知部３３とを備える。定着温度検知部３３による検知結果に基づいて制御装置１８により定着温度制御が行われる。
【００４１】
また、画像形成装置１００は、操作部５０からユーザーの命令の入力を受付けてジョブを実行することができる。該ジョブは、たとえば、片面印刷ジョブ（片面印刷させるジョブ）、両面印刷ジョブ（両面印刷させるジョブ）、スキャンジョブ（スキャンさせるジョブ）などを含む。ジョブは、たとえば、片面印刷ジョブ（片面印刷させるジョブ）、両面印刷ジョブ（両面印刷させるジョブ）、スキャンジョブ（スキャンさせるジョブ）などを含む。また、ユーザーは、該ジョブにおいて、画像形成装置１００に印刷させる画像、および画像形成装置１００に印刷させる用紙の枚数なども指定できる。また、「印刷」を「画像を形成する」ともいう。
【００４２】
ユーザーにより、片面印刷ジョブの命令が入力された場合には、定着器３０による定着処理の後に、用紙１４は、排紙ローラー３６により、排紙トレー１６に排紙される。ユーザーにより、両面印刷ジョブの命令が入力された場合には、用紙１４は、定着器３０による定着処理の後に、排紙ローラー３６の逆回転により、反転搬送経路３８に送られる。その後、用紙の裏面（２面目）にトナー画像が転写されるように、該用紙は、２次転写ローラー１３に送られる。２次転写ローラー１３は、用紙１４の裏面の適切な位置にトナー画像を転写する。その後、定着器３０に再び送られて、定着器３０は、該用紙の裏面にトナー画像を定着させる。このように、ユーザーにより両面印刷ジョブの命令が入力されると、両面に印刷することができる。
【００４３】
クリーニング部１５は、クリーニングブレードを備える。クリーニングブレードは、中間転写ベルト１１に圧接され、トナー画像の転写後に中間転写ベルト１１上に残留するトナー粒子を回収する。このトナー粒子は、搬送スクリュー（図示しない）で搬送され、廃トナー容器（図示しない）に回収される。
【００４４】
制御装置１８は、画像形成装置１００の画像形成プロセスを制御する。制御装置１８は、画像形成ユニット１Ａ〜１Ｄ、２次転写ローラー１３、定着器３０（加熱ヒーター３２ｈの温度制御、加圧ローラー３１の回転速度等）、露光制御部１９、１次転写電流出力部６０等を制御する。
【００４５】
また、定着器３０の下流には、冷却器５５が設けられている。冷却器５５は、冷却ローラー５２（冷却部）と、対向ローラー５１（対向部）とを含む。冷却器５５は、制御装置１８により制御される。対向ローラー５１は、冷却ローラー５２と対向し、かつ対向ローラー５１と冷却ローラー５２とで用紙を矜持する。
【００４６】
このように、かつ対向ローラー５１と冷却ローラー５２とが用紙を矜持して、該用紙を冷却することから、画像形成装置１００は、安定して該用紙を冷却することができる。
【００４７】
また、中間転写ベルト１１の材料は、ポリカーボネートやＰＴＦＥ（polytetrafluoroethylene）、あるいはポリイミドを主原料としてカーボンを分散させた半導電性である。
【００４８】
［ハードウェア構成］
図２は、画像形成装置１００のハードウェア構成を示した図である。図２を参照して、画像形成装置１００は、画像形成プログラムを実行するＣＰＵ（Central Processing Unit）１０１と、画像形成プログラムなどのデータを不揮発的に格納するＲＯＭ（Read Only Memory）１０２と、データを揮発的に格納するＲＡＭ（Random Access Memory）１０３と、フラッシュメモリ１０４と、操作部５０と、スピーカー１０６と、通信ＩＦ１０８とを備える。画像形成プログラムは、コンピュータに実行させるプログラムである。
【００４９】
操作部５０は、表示装置としてのディスプレイ１０５１と、入力装置としてのタッチパネル１０５２とにより構成される。具体的には、操作部５０は、ディスプレイ１０５１（たとえば液晶ディスプレイ）上にタッチパネル１０５２を位置決めした上で固定することにより実現される。なお、タッチスクリーンは、タッチパネルディスプレイ、タッチパネル付きディスプレイ、あるいはタッチパネルモニタとも称される。なお、操作部５０は、タッチ位置の検出方法として、たとえば抵抗膜方式または静電容量方式を用いることができる。ユーザーが操作部５０を操作すると、命令が入力される。
【００５０】
フラッシュメモリ１０４は、不揮発性の半導体メモリである。フラッシュメモリ１０４は、ＣＰＵ１０１が実行するオペレーティングシステムおよび各種のプログラム、各種のコンテンツおよびデータを格納している。また、フラッシュメモリ１０４は、画像形成装置１００が生成したデータ、画像形成装置１００の外部装置から取得したデータ等の各種データを揮発的に格納する。
【００５１】
スピーカー１０６は、ＣＰＵ１０１からの指令に応じて音を発生させる。ＣＰＵ１０１は、タッチパネル１０５２からの出力に基づいて入力位置を特定し、当該特定した入力位置に基づいた画面表示を行なう。
【００５２】
また、通信ＩＦ１０８は、他の外部機器（たとえば、ＰＣ）とネットワークを通じて接続されている。該他の外部機器からユーザーによりジョブが入力されたときには、画像形成装置１００は、通信ＩＦ１０８を経由して該ジョブを取得する。
【００５３】
画像形成装置１００における処理は、各ハードウェアおよびＣＰＵ１０１により実行されるソフトウェアによって実現される。このようなソフトウェアは、フラッシュメモリ１０４に予め記憶されている場合がある。同図に示される画像形成装置１００を構成する各構成要素は、一般的なものである。したがって、本発明の本質的な部分は、フラッシュメモリ１０４、メモリカードその他の記憶媒体に格納されたソフトウェア、あるいはネットワークを介してダウンロード可能なソフトウェアであるともいえる。なお、画像形成装置１００の各ハードウェアの動作は周知であるので、詳細な説明は繰り返さない。
【００５４】
なお、記憶媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Erasable Programmable Read Only Memory）、ＥＥＰＲＯＭ（Electrically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００５５】
ここでいうプログラムとは、ＣＰＵにより直接実行可能なプログラムだけでなく、ソースプログラム形式のプログラム、圧縮処理されたプログラム、暗号化されたプログラム等を含む。
【００５６】
［本実施形態の思想］
次に、本実施形態の思想を説明する。図３は、２次転写電圧と、２次転写効率との関係を示す図である。図３において横軸は、２次転写電圧（２次転写ローラー１３に印加される電圧）を示し、縦軸は、２次転写効率を示す。２次転写効率は、２次転写部１３Ａの転写の効率を示す。２次転写効率は、たとえば、「２次転写部１３Ａで用紙１４に転写されたトナー像の量」を、「２次転写部１３Ａに移動される前の中間転写ベルト１１上のトナー像の量」で除算した値である。なお、２次転写効率は、他の方法により算出するようにしてもよい。
【００５７】
また、図３において、丸の画像でプロットされたグラフは、１次転写電流が９．５μＡである場合を示し、三角の画像でプロットされたグラフは、１次転写電流が１３．５μＡである場合を示し、四角の画像でプロットされたグラフは、１次転写電流が２０．５μＡである場合を示す。
【００５８】
図３では、各１次転写電流（９．５μＡ、１３．５μ、および２０．５μＡ）について、２次転写電圧を５００Ｖ，１０００Ｖ，．．．と変更して２次転写効率を求めた。
【００５９】
図３に示すように、１次転写電流の値が大きいほど、２次転写効率は高くなる傾向にあることが判明した。また、２次転写効率が所定値（たとえば、９０％）以上となる２次転写電圧の範囲を「最適電圧範囲」という。図３に示すように、１次転写電流の値が大きいほど、最適電圧範囲は広くなることが判明した。
【００６０】
図４は、１次転写部１２Ａによる１次転写後のトナーの帯電量分布の一例を示す図である。図４（Ａ）は、１次転写電流を９．５μＡとした場合のトナーの帯電量分布である。図４（Ｂ）は、１次転写電流を１３．５μＡとした場合のトナーの帯電量分布である。図４（Ｃ）は、１次転写電流を２０．５μＡとした場合のトナーの帯電量分布である。
【００６１】
図４（Ａ）〜図４（Ｃ）のそれぞれにおいて、横軸はトナー帯電量を示し、縦軸がトナーの個数を示す。図４（Ａ）〜図４（Ｃ）のそれぞれにおいて、トナー帯電量分布のピークをそれぞれピークＰ１、ピークＰ２、およびピークＰ３とする。図４（Ａ）〜図４（Ｃ）に示すように、１次転写電流の値が大きくなるほど、トナーの帯電量分布のピークが、トナーの荷電側（負極性側）にシフトする。つまり、１次転写電流の値が大きくなるほど、トナーの帯電量は増加し、結果として、２次転写効率は増加する。
【００６２】
次に、転写メモリー要因の濃度ムラについて説明する。一般的に、除電部は、感光体を除電することにより、感光体における負の帯電特性については除去できる（感光体を除電できる）。一方で、１次転写電流に基づく１次転写のバイアスは正極性である。したがって、１次転写電流の電流値が高い場合には、除電部が感光体を除電したとしても、正の帯電特性は残存してしまい、結果として、感光体の表面電位は過度に高くなってしまう（正に変化してしまう）。この場合には、感光体２表面電位が高くなった箇所について、次の帯電工程において、感光体の表面電位が高くなった箇所に濃度段差や横スジ等が生じる。この濃度段差や横スジなどにより、転写メモリー要因の濃度ムラが生じる。このように、１次転写電流の電流値が高い場合に、転写メモリーによる濃度ムラが生じる傾向がある。
【００６３】
図５は、１次転写電流と、転写メモリーによる濃度ムラを許容できる印刷枚数（濃度ムラが発生する直前（１枚前）の印刷枚数）との関係を示す図である。図５の縦軸は、濃度ムラが発生する直前の印刷枚数を示し、横軸は１次転写電流の値を示す。また、横軸において、１次転写電流の第１電流値Ｉ１と、第２電流値Ｉ２とが規定されており、第２電流値Ｉ２＞第１電流値Ｉ１とする。また、第１電流値Ｉ１は、通常の電流値である。
【００６４】
図５に示すように、１次転写電流値が第１電流値Ｉ１に設定されている場合には、印刷枚数の如何に関わらず、濃度ムラは発生しない。このように、第１電流値Ｉ１は、印刷枚数の如何に関わらず、濃度ムラが発生しない電流値である。一方、１次転写電流値が第２電流値Ｉ２に設定されている場合には、Ｚ＋１枚目の用紙から濃度ムラが発生した。１のジョブにおいて該濃度ムラが発生したときの感光体２の駆動量を所定量Ｌとする。換言すると、１次転写電流が第２電流値Ｉ２に設定されているときであっても、１のジョブにおいて感光体２の駆動量が所定量Ｌに到達するまでは、濃度ムラは発生しない。このように、第２電流値Ｉ２は、感光体２の駆動量が所定量Ｌに到達するまでは、濃度ムラは発生しない一方、感光体２の駆動量が所定量Ｌに到達した以降（たとえば、感光体２の駆動量が所定量Ｌより大きい場合）には濃度ムラが発生し得る電流値である。なお、図５においては、１次転写電流の値が大きいほど、濃度ムラが発生しない印刷枚数は少なくなる。
【００６５】
図３〜図５に示すように、「１次転写電流を大きくすると２次転写効率は向上させることができる一方、感光体２の駆動量が所定量Ｌに到達すると、濃度ムラが発生してしまう」という現象がある。本実施形態の画像形成装置１００は、この現象に基づいた処理を実行する。
【００６６】
［制御装置の機能構成例］
図６は、制御装置１８の機能構成例を示す図である。制御装置１８は、受付部２０２と、特定部２０４と、設定部２０６と、記憶部２０８との機能を有する。
【００６７】
受付部２０２は、操作部５０からのユーザーの命令の入力に基づくジョブを受け付ける。本実施形態では、このジョブは、印刷ジョブであるとする。受付部２０２は、該ジョブを受け付けると、該ジョブを示すジョブデータを特定部２０４に出力する。なお、本実施形態の制御装置１８は、受付部２０２が該ジョブを受け付けると、感光体２を起動させる。
【００６８】
特定部２０４は、受付部２０２が受け付けたジョブ（ジョブデータ）に基づく感光体２の駆動パラメーター値を特定する。ここで、駆動パラメーター値は、感光体２の駆動を直接的にまたは間接的に示すパラメーター値であれば如何なる値であってもよい。たとえば、駆動パラメーター値は、感光体２の駆動量（回転量）としてもよい。また、駆動パラメーター値は、画像形成装置１００による印刷される用紙の枚数（感光体２を用いて画像が形成された記録媒体の量）としてもよい。また、駆動パラメーター値は、感光体２が駆動している時間（感光体２の駆動時間）としてもよい。
【００６９】
また、特定部２０４は、図６に示す手法（Ａ）または手法（Ｂ）を用いて、駆動パラメーター値を特定する。まず、手法（Ａ）を説明する。手法（Ａ）では、「受付部２０２が受付付けたジョブの完了時の累計駆動パラメーター値」から、「ジョブ受付前の累計駆動パラメーター値」を減算することにより、駆動パラメーター値を特定する（算出する）。
【００７０】
たとえば、「受付部２０２が受付けたジョブの完了時の累計駆動パラメーター値」は、所定のタイミングから、受付部２０２が受付けたジョブが完了するときまでの累計の駆動パラメーター値である。本実施形態では、所定のタイミングは、たとえば、画像形成装置１００の製造時であるとする。
【００７１】
画像形成装置１００が手法（Ａ）が採用する場合には、特定部２０４は、受付部２０２からのジョブデータを解析する。特定部２０４は、該ジョブデータを解析することにより、ジョブパラメーターを取得する。ジョブパラメーターは、感光体２の駆動パラメーターを特定可能な情報であり、ジョブパラメーターは、たとえば、印刷枚数、および印刷される画像で使用されるトナー量、印刷される画像の大きさなどのうち少なくとも１つを含む。特定部２０４は、画像形成装置１００の製造時から、ジョブが完了するときまでの累計駆動パラメーター値Ａ１を推定する（特定する）。この推定については、画像形成装置１００は、たとえば、ジョブパラメーターと、駆動パラメーター値とが対応づけられたテーブルを予め記憶部２０８に記憶する。特定部２０４は、該テーブルを参照することにより、ジョブパラメーターに基づく累計駆動パラメーター値を特定する。
【００７２】
変形例として、画像形成装置１００は、たとえば、ジョブパラメーターが入力されることにより駆動パラメーター値が出力される関数または式を記憶部２０８に記憶するようにしてもよい。特定部２０４は、該関数または式にジョブパラメーターを入力することにより、累計駆動パラメーター値を特定する。
【００７３】
たとえば、特定部２０４は、テーブル、式、および関数のうちいずれかを用いて、累計駆動パラメーター値Ａ１（画像形成装置１００の製造時から、ジョブが完了するときまでの累計駆動パラメーター値）を特定する。さらに、特定部２０４は、画像形成装置１００の製造時から、ジョブ受付前の累計駆動パラメーター値である累計駆動パラメーター値Ａ２を特定する。累計駆動パラメーター値Ａ２は、記憶部２０８に記憶されている。
【００７４】
その後、特定部２０４は、特定された累計駆動パラメーター値Ａ１−記憶されている累計駆動パラメーター値Ａ２の演算を実行することにより、入力されたジョブに基づく累計駆動パラメーター値Ａを算出できる。さらに、特定部２０４は、「記憶部２０８に記憶されていた累計駆動パラメーター値Ａ２」を「特定された累計駆動パラメーター値Ａ１」に更新する。この更新により、特定部２０４は、受付部２０２が次のジョブを受付けたときであっても、新たな「画像形成装置１００の製造時から、該次のジョブ受付前までの累計駆動パラメーター値Ａ２」を取得することができる。
【００７５】
次に、手法（Ｂ）について説明する。手法（Ｂ）では、たとえば、特定部２０４は、「画像形成装置１００の製造時から、ジョブ受付前の累計駆動パラメーター値Ａ２」を０とする。これとともに、特定部２０４は、入力されたジョブに基づく駆動パラメーター値を直接算出する。このような手法（Ｂ）であっても、特定部２０４は、入力されたジョブに基づく駆動パラメーター値Ａを特定できる。
【００７６】
特定部２０４は、該特定した駆動パラメーター値Ａを設定部２０６に出力する。設定部２０６は、１次転写電流出力部６０の１次転写電流を設定する。本実施形態では、設定部２０６は、特定部２０４が特定した駆動パラメーター値Ａと所定値とに基づいて、１次転写電流の電流値を、第１電流値Ｉ１と、第２電流値Ｉ２とのいずれかに設定する。ここで、所定値は、第１閾値Ｎ１とし、該第１閾値Ｎ１は記憶部２０８に記憶されている。また、所定値は、前述の所定量Ｌにも対応する。
【００７７】
設定部２０６は、駆動パラメーター値Ａと、第１閾値Ｎ１とを対比する。駆動パラメーター値Ａが、第１閾値Ｎ１よりも大きいと判断された場合とは、「１次転写電流が第２電流値Ｉ２に設定されている場合に、受付部２０２が受付けたジョブの実行途中に転写メモリーを要因とする濃度ムラが発生する可能性が高い場合」である。この場合には、濃度ムラが発生することを防止するために、設定部２０６は、１次転写電流の電流値として、第１電流値Ｉ１を設定する。
【００７８】
一方、駆動パラメーター値Ａが、第１閾値Ｎ１以下であると判断された場合とは、「１次転写電流が第２電流値Ｉ２に設定されている場合であっても、受付部２０２が受付けたジョブの実行途中に転写メモリーを要因とする濃度ムラが発生しない場合」である。この場合には、２次転写効率を向上させるために、設定部２０６は、１次転写電流の電流値として、第２電流値Ｉ２を設定する。
【００７９】
なお、記憶部２０８には、第１電流値Ｉ１を設定するためのデータと、第２電流値Ｉ２を設定するためのデータとが予め記憶されている。設定部２０６は、設定した電流値を示す制御信号を１次転写電流出力部６０に出力することにより、該１次転写電流出力部６０は、設定した電流値で１次転写電流を出力する。なお、図６で破線で示した部分については後述の実施形態で説明する。
【００８０】
［画像形成装置１００の処理のフローチャート］
次に、図７を用いて、画像形成装置１００（制御装置１８）の処理のフローチャートを説明する。
【００８１】
まず、ステップＳ１０２において、受付部２０２は、ジョブを受け付けたか否かを判断する。ステップＳ１０２においては、受付部２０２は、ジョブを受け付けたと判断するまで待機する（ステップＳ１０２でＮＯ）。
【００８２】
次に、ステップＳ１０６において、特定部２０４は、受付部２０２が受付けたジョブ（ユーザーにより入力されたジョブ）に基づく感光体２の駆動パラメーター値Ａを特定する。特定部２０４は、前述の手法（Ａ）または前述の手法（Ｂ）を用いて、駆動パラメーター値Ａを特定する。
【００８３】
次に、ステップＳ１０８においては、設定部２０６が、駆動パラメーター値Ａは、第１閾値Ｎ１よりも大きいか否かを判断する。設定部２０６が、駆動パラメーター値Ａは、第１閾値Ｎ１よりも大きいと判断した場合に（ステップＳ１０８のＹＥＳ）、処理は、ステップＳ１１０に進む。また、設定部２０６が、駆動パラメーター値Ａは、第１閾値Ｎ１以下であると判断した場合に（ステップＳ１０８のＮＯ）、処理は、ステップＳ１１２に進む。
【００８４】
ステップＳ１１０において、設定部２０６は、１次転写電流を第１電流値Ｉ１に設定する。ステップＳ１１０の処理が終了すると、処理はステップＳ１１４に進む。また、ステップＳ１１２において、設定部２０６は、１次転写電流を第２電流値Ｉ２に設定する。処理はステップＳ１１４に進む。
【００８５】
制御装置１８は、ステップＳ１１４においては、ステップＳ１１０で設定された第１電流値Ｉ１またはステップＳ１１２で設定された第２電流値Ｉ２において、印刷処理を開始する。
【００８６】
［小括］
（１）  本実施形態の画像形成装置１００では、特定部２０４は、受付部２０２が受け付けたジョブに基づく感光体２の駆動パラメーター値Ａを特定する（ステップＳ１０６参照）。その後、設定部２０６は、特定部２０４が特定した駆動パラメーター値Ａと第１閾値Ｎ１とに基づいて、転写電流の電流値を、第１電流値Ｉ１と、該第１電流値よりも大きい第２電流値Ｉ２とのいずれかに設定する。本実施形態では、駆動パラメーター値Ａが第１閾値Ｎ１より大きいと判断された場合、つまり、「１次転写電流が第２電流値Ｉ２に設定されている場合に、受付部２０２が受付けたジョブの実行途中に転写メモリーを要因とする濃度ムラが発生する可能性が高い場合」には、設定部２０６は、１次転写電流の電流値として、第１電流値Ｉ１を設定する。これにより、画像形成装置１００は、転写メモリーを要因とする濃度ムラが発生することを防止できる。
【００８７】
一方、駆動パラメーター値Ａが、第１閾値Ｎ１以下であると判断された場合、つまり、「１次転写電流が第２電流値Ｉ２に設定されている場合に、受付部２０２が受付けたジョブの実行途中に転写メモリーを要因とする濃度ムラが発生しない場合」には、設定部２０６は、１次転写電流の電流値として、第２電流値Ｉ２を設定する。これにより、画像形成装置１００は、転写メモリーを要因とする濃度ムラを発生させずに２次転写効率を向上させることができる。
【００８８】
また、第１実施形態の画像形成装置１００では、１つのジョブで指定された全ての印刷用紙について第１転写電流を同一とすることができる。したがって、第１実施形態では、１つのジョブで指定された全ての印刷用紙について、第１転写電流の差異を起因とする濃度ムラを低減できる。
【００８９】
（２）  また、特定部２０４は、受付部２０２が受け付けたジョブにより駆動される感光体２の駆動パラメーター値を特定する。したがって、受付部２０２が受け付けたジョブの実行途中に転写メモリーを要因とする濃度ムラが発生するかしないかを判断することができる。
【００９０】
（３）  また、特定部２０４は、手法（Ａ）を用いるで、「受付部２０２が受付付けたジョブの完了時の累計駆動パラメーター値」から、「ジョブ受付前の累計駆動パラメーター値」を減算することにより、駆動パラメーター値を特定する（算出する）。したがって、特定部２０４は、適切に、駆動パラメーター値を特定することができる。
【００９１】
（４）  また、特定部２０４は、手法（Ｂ）を用いることで、「画像形成装置１００の製造時から、ジョブ受付前の累計駆動パラメーター値Ａ２」を０とするようにしてもよい。特定部２０４は、これとともに、入力されたジョブに基づく駆動パラメーター値を直接算出する。このような手法（Ｂ）であっても、特定部２０４は、適切に、駆動パラメーター値を特定することができる。
【００９２】
（５）  また、本実施形態においては、除電部８０は、１次転写部１２Ａにより１次転写が終了した後において、感光体２を除電する。つまり、特定部２０４は、除電部８０が感光体２を除電した後のジョブに基づく感光体２の駆動パラメーター値を特定する。仮に、除電部８０が感光体２を除電しない構成の画像形成装置（以下、「第１の比較例の画像形成装置」という。）であれば、帯電部３による帯電特性が除去されないまま、帯電部３により再び帯電処理が実行される。したがって、第１の比較例の画像形成装置では、転写メモリーを要因とする濃度ムラが、１枚目の用紙から発生するという問題が発生する。本実施形態の画像形成装置１００のように、除電部８０が感光体２を除電することで、このような問題が発生することを低減できる。
【００９３】
＜第２実施形態＞
次に、第２実施形態を説明する。第１実施形態の画像形成装置１００では、第１閾値Ｎ１と比較される感光体２の駆動パラメーター値は「１つのジョブ全てにおける感光体２の駆動パラメーター値」であるとして説明した。第２実施形態では、第１閾値Ｎ１と比較される感光体２の駆動パラメーター値は、「１のジョブにおいて、所定数（本実施形態では１枚）の用紙に印刷させるために駆動される感光体２の駆動パラメーター値の積算値」である。また、入力されたジョブにおいて画像が印刷される用紙の枚数をＮとする。また、用紙の枚数の変数をｎとする。また、本実施形態では、所定数は、「１」であるとする。変形例として、所定数は「２以上の数」としてもよい。
【００９４】
図８は、第２実施形態の制御装置１８の処理のフローチャートである。ステップＳ１０２が終了した後において、ステップＳ２０２では、特定部２０４は、印刷枚数ｎを初期値（本実施形態では、１）とする。次に、ステップＳ２０４において、特定部２０４は、ｎ枚目の用紙に印刷する（ｎ枚目の用紙に２次転写する）ための感光体２の単位駆動パラメーター値Ａｎを特定する。ここで、「単位駆動パラメーター値」は、「１枚の用紙に画像を印刷するために必要な感光体２の駆動についての駆動パラメーター値」である。
【００９５】
次に、ステップＳ２０６において、「１枚目〜ｎ−１枚目の用紙における感光体２の駆動パラメーター値の積算値ΣＡｎ−１」に対して、ステップＳ２０４において特定された単位駆動パラメーター値Ａｎを加算する。これにより、特定部２０４は、「１枚目〜ｎ枚目の用紙における感光体２の駆動パラメーター値の積算値ΣＡｎ」を算出することができる（特定することができる。
【００９６】
次に、ステップＳ２０８において、設定部２０６が、積算値ΣＡｎは、第１閾値Ｎ１よりも大きいか否かを判断する。設定部２０６が、積算値ΣＡｎは、第１閾値Ｎ１よりも大きいと判断した場合に（ステップＳ２０８のＹＥＳ）、処理は、ステップＳ１１０に進む。また、設定部２０６が、駆動パラメーター値Ａは、第１閾値Ｎ１以下であると判断した場合に（ステップＳ１０８のＮＯ）、処理は、ステップＳ１１２に進む。
【００９７】
ステップＳ１１０またはステップＳ１１２が終了すると、処理はステップＳ２１４に進む。ステップＳ２１４において、画像形成装置１００は、１枚の用紙に対する印刷処理を開始する。ステップＳ２１６において、設定部２０６は、ｎ＝Ｎに到達したか否か、つまり、入力されたジョブにより指定された印刷枚数Ｎの全てについて印刷が終了したか否かを判断する。ステップＳ２１６において、設定部２０６は、ｎがＮに到達した（ｎ＝Ｎである）と判断した場合には（ステップＳ２１６でＹＥＳ）、処理は終了する。ステップＳ２１６において、設定部２０６は、ｎがＮに到達していない（ｎ＜Ｎである）と判断した場合には（ステップＳ２１６でＮＯ）、ステップＳ２０４に戻る。
【００９８】
この第２実施形態の画像形成装置１００によれば、入力されたジョブの実行中において、１次転写電流を第２電流値Ｉ２から第１電流値Ｉ１に切替えることができる。たとえば、図８においては、設定部２０６は、入力されたジョブの実行中において、感光体２の単位駆動パラメーター値の積算値ΣＡｎが第１閾値Ｎ１より大きいと判断されるまでは（ステップＳ２０８でＮＯ）、１次転写電流を第２電流値Ｉ２に設定する。したがって、画像形成装置１００は、転写メモリーを要因とする濃度ムラを発生させずに２次転写効率を向上させることができる。その後、設定部２０６は、該ジョブの実行中において、感光体２の単位駆動パラメーター値の積算値ΣＡｎが第１閾値Ｎ１より大きいと判断された以降は（ステップＳ２０８でＹＥＳ）、１次転写電流を第２電流値Ｉ２に設定する。したがって、画像形成装置１００は、転写メモリーを要因とする濃度ムラを発生させないようにすることができる。
【００９９】
また、第２実施形態の画像形成装置では、１つのジョブ中に１次転写電流を変更できることから、１次転写電流の柔軟な切替制御を実行することができる。
【０１００】
＜第３実施形態＞
前述の実施形態では、画像形成装置１００は、除電部８０を有するとして説明した。第３実施形態の画像形成装置は、除電部８０を有さない。本実施形態の画像形成装置によれば、部品点数を削減することができる。
【０１０１】
また、第１実施形態および第２実施形態の画像形成装置によれば、除電部８０による除電により、感光体の帯電特性を除去するとして説明した。一般的に１次転写部１２Ａによる１次転写が終了したときから、所定期間ｔが経過することにより、感光体２が自然放電する。第３実施形態の画像形成装置では、この自然放電により、感光体の帯電特性を除去する。所定期間ｔは、自然放電により感光体の帯電特性が除去される期間であり、予め実験などにより定められる期間である。
【０１０２】
以下では、受付部２０２が受け付けたジョブを「第１のジョブ」という。また、受付部が２０２が第１のジョブの次に受け付けたジョブを「第２のジョブ」という。
【０１０３】
図９は、本実施形態のジョブの概念を説明するための図である。図９（Ａ）は、受付部２０２が第１のジョブを受け付けたときから、受付部２０２が第２のジョブを受け付けたときまでの期間Ｘが、所定期間ｔ未満である場合には、特定部２０４は、第１のジョブと第２のジョブとを統合して「１のジョブ」とする。また、受付部２０２が第２のジョブを受け付けたときまでの期間Ｘが、所定期間ｔ以上である場合には、特定部２０４は、第２のジョブを「１のジョブ」とする。なお、この場合には、特定部２０４は、第１のジョブも「１のジョブ」とする。
【０１０４】
第３実施形態の思想を第１実施形態の思想に適用する場合には、図７のステップＳ１０６において特定部２０４は、該１のジョブに基づく駆動パラメーター値Ａを、図６に示す手法（Ａ）または手法（Ｂ）により特定する。また、第３実施形態の思想を第２実施形態の思想に適用する場合には、図８のステップＳ２０４において特定部２０４は、該１のジョブにおいてｎ枚目の用紙に印刷するための単位駆動パラメーター値Ａｎを特定する。
【０１０５】
次に、本実施形態の画像形成装置が奏する効果を説明する。「除電部８０を有さない画像形成装置であって、期間Ｘが所定期間ｔ未満の期間である場合に第２のジョブを「１のジョブ」として、該１のジョブに基づく感光体２の駆動パラメーターを特定する画像形成装置」を「第２の比較例の画像形成装置」とする。第２の比較例の画像形成装置では、第２のジョブを受け付けたときには、感光体２の帯電特性は十分に除去されていない。したがって、感光体２には、正の帯電特性が残存してしまう。正の帯電特性が残存している状態で、１次転写電流を第２電流値Ｉ２に設定して、２次転写部１３Ａが２次転写を実行すると、第２のジョブにおける１枚目の２次転写において転写メモリー要因の濃度ムラが生じるという問題が発生する。
【０１０６】
そこで、本実施形態では、図９（Ｂ）に示すように、受付部２０２が第１のジョブを受け付けたときから受付部２０２が第２のジョブを受け付けたときまでの期間Ｘが、所定期間ｔ未満である場合には、特定部２０４は第１のジョブと第２のジョブとを統合して「１のジョブ」として、該「１のジョブ」に基づく駆動パラメーター値を特定する。したがって、第２のジョブを受け付けたときに、感光体２の帯電特性が十分に除去されていない状態であっても、第２のジョブにおける１枚目の２次転写において転写メモリー要因の濃度ムラが生じることを低減できる。
【０１０７】
なお、第３実施形態の変形例として、除電部８０を有する画像形成装置に対して、この第３実施形態の思想を適用するようにしてもよい。
【０１０８】
＜第４実施形態＞
第４実施形態の特定部２０４は、１次転写ローラー１２に対して転写電流が流れている期間における駆動パラメーター値を特定する。図１０は、用紙に対する印刷（２次転写）と、１次転写電流出力部６０から１次転写電流が出力されている期間との関係を示す図である。
【０１０９】
図１０の例では、各ページは、印刷部分αと、余白部分βとを含む。図１０の例では、印刷部分αと、余白部分βとを含む１ページ全体の領域に印刷処理を実行する場合に、制御装置１８は、１次転写電流出力部６０に１次転写電流を出力させる。一方、制御装置１８は、１の用紙と次の用紙との間、つまり、１の用紙に印刷させるトナー像を中間転写ベルト１１に１次転写するときと、次の用紙に印刷させるトナー像を中間転写ベルト１１に１次転写するときとの間においては、制御装置１８は、１次転写電流出力部６０に１次転写電流を出力させない。このような構成により、１の用紙に印刷させるトナー像を中間転写ベルト１１に１次転写するときと、次の用紙に印刷させるトナー像を中間転写ベルト１１に１次転写するときとの間においても１次転写電流出力部６０が１次転写電流を出力する画像形成装置と比較して、１次転写電流についてのコストを低減できる。図１０の例では、１次転写電流が出力される期間を、「１次転写電流出力期間」といい、１次転写電流が出力されない期間を、「１次転写電流非出力期間」という。
【０１１０】
特定部２０４は、受付部２０２が受け付けたジョブを解析することにより、１次転写電流出力期間を特定する。さらに、特定部２０４は、該特定した１次転写電流出力期間についての感光体２の駆動パラメーター値を特定する。これとともに、特定部２０４は、該特定した１次転写電流出力期間以外の期間（１次転写電流非出力期間）についての感光体２の駆動パラメーター値を特定しない。
【０１１１】
本実施形態の画像形成装置は、１次転写電流についてのコストを低減するために、１の用紙に印刷させるトナー像を中間転写ベルト１１に１次転写するときと、次の用紙に印刷させるトナー像を中間転写ベルト１１に１次転写するときとの間においては、制御装置１８は、１次転写電流出力部６０に１次転写電流を出力させない。本実施形態の画像形成装置は、このような構成のもと、「１次転写電流出力期間」のみでの感光体２の駆動パラメーター値を特定する。したがって、本実施形態の画像形成装置は、「１次転写電流出力期間」および「１次転写電流非出力期間」の双方での感光体２の駆動パラメーター値を特定する画像形成装置と比較して、正確な駆動パラメーター値を特定することができる。
【０１１２】
＜第５実施形態＞
たとえば、画像形成装置が設置されている場所が、高温多湿である場合には、特定部２０４により特定された駆動パラメーター値Ａが第１閾値Ｎ１未満であっても、転写メモリー要因の濃度ムラが生じる場合がある。そこで、本実施形態の画像形成装置は、禁止部２１０（図６の破線部分参照）を有する。禁止部２１０は、画像形成装置が設置されている場所の環境に基づいて、設定部２０６が１次転写電流の電流値を第２電流値Ｉ２に設定することを禁止する。
【０１１３】
さらに、本実施形態の画像形成装置は、画像形成装置が設置されている場所の環境パラメーター値を検知する環境パラメーター値センサー１１０を有する。環境パラメーターは、温度Ｔ、湿度Ｈ、および絶対湿度Ｂのうち少なくとも１つを含む。つまり、環境パラメーター値センサー１１０は、温度Ｔを検出する温度センサー、湿度Ｈを検出する湿度センサー、および絶対湿度Ｂを検出する絶対湿度センサーのうち少なくとも１つを含む。
【０１１４】
図１１は、禁止部２１０が用いるテーブルの一例である。図１１のテーブルでは、設定部２０６が１次転写電流を第２電流値Ｉ２に設定することを禁止する条件が規定されている。図１１のテーブルは予め作成されるテーブルであり、図１１のテーブルはたとえば記憶部２０８に記憶される。
【０１１５】
たとえば、禁止部２１０は、環境パラメーター値センサー１１０のうちの温度センサーが検出した温度Ｔが、温度閾値Ｔｋ以上であると判断した場合（第１禁止条件が成立した場合）には、設定部２０６が１次転写電流を第２電流値Ｉ２に設定することを禁止する。また、変形例として禁止部２１０は、環境パラメーター値センサー１１０のうちの湿度センサーが検出した湿度Ｈが、湿度閾値Ｈｋ以上であると判断した場合（第２禁止条件が成立した場合）には、設定部２０６が１次転写電流を第２電流値Ｉ２に設定することを禁止するようにしてもよい。また、変形例として禁止部２１０は、環境パラメーター値センサー１１０のうちの絶対湿度センサーが検出した絶対湿度Ｂが、絶対湿度閾値Ｂｋ以上であると判断した場合（第３禁止条件が成立した場合）には、設定部２０６が１次転写電流を第２電流値Ｉ２に設定することを禁止するようにしてもよい。
【０１１６】
なお、第１禁止条件〜第３禁止条件のうち少なくとも１つの禁止条件が成立した場合に、設定部２０６は、１次転写電流を第１電流値Ｉ１に設定することを禁止するようにしてもよい。
【０１１７】
また、感光体２の特性によっては、第１禁止条件を、「温度Ｔが、温度閾値Ｔｋ未満であるという条件」としてもよい。また、第２禁止条件を、「湿度Ｈが、湿度閾値Ｈｋ未満であるという条件」としてもよい。また、第３禁止条件を、「絶対湿度Ｂが、絶対湿度閾値Ｂｋ未満であるという条件」としてもよい。
【０１１８】
本実施形態の画像形成装置は、画像形成装置が設置されている環境に基づいて、設定部２０６が１次転写電流の電流値を第２電流値Ｉ２に設定することを禁止する。したがって、１次転写電流の設定をより細やかにすることができる。
【０１１９】
＜第６実施形態＞
第６実施形態の画像形成装置は、１次転写電流として、第１電流値Ｉ１と、第２電流値Ｉ２の他に、第３電流値Ｉ３（図６の破線の第３電流値Ｉ３参照）を設定可能である。第３電流値Ｉ３は、該第２電流値Ｉ２よりも高い。
【０１２０】
設定部２０６が、１次転写電流を第３電流値Ｉ３に設定した場合には、設定部２０６が、第２電流値Ｉ２に設定した場合と比較して、より２次転写効率を向上させることができる。そこで、本実施形態では、画像形成装置の製造者などは、１次転写電流を第３電流値Ｉ３に設定したとしても、転写メモリーを要因とする濃度ムラを発生させない環境パラメーターを測定する。
【０１２１】
図１２は、設定部２０６が用いるテーブルの一例である。図１２のテーブルでは、設定部２０６が１次転写電流を第３電流値Ｉ３に設定する条件が規定されている。図１２のテーブルは予め作成されるテーブルであり、図１２のテーブルはたとえば記憶部２０８に記憶される。
【０１２２】
たとえば、ステップＳ１１２の処理において、設定部２０６は、環境パラメーター値センサー１１０のうちの温度センサーが検出した温度Ｔが、温度閾値Ｔｋ２未満であると判断した場合には、１次転写電流を第２電流値Ｉ２に設定する。また、ステップＳ１１２の処理において、設定部２０６は、環境パラメーター値センサー１１０のうちの温度センサーが検出した温度Ｔが、温度閾値Ｔｋ２以上であると判断した場合（第１設定条件が成立したと判断した場合）には、１次転写電流を第３電流値Ｉ３に設定する。
【０１２３】
また、変形例としてステップＳ１１２の処理において、設定部２０６は、環境パラメーター値センサー１１０のうちの湿度センサーが検出した湿度Ｈが、湿度閾値Ｈｋ２未満であると判断した場合には、１次転写電流を第２電流値Ｉ２に設定するようにしてもよい。また、ステップＳ１１２の処理において、設定部２０６は、環境パラメーター値センサー１１０のうちの湿度センサーが検出した湿度Ｈが、湿度閾値Ｈｋ２以上であると判断した場合（第２設定条件が成立したと判断した場合）には、１次転写電流を第３電流値Ｉ３に設定するようにしてもよい。
【０１２４】
また、変形例としてステップＳ１１２の処理において、設定部２０６は、環境パラメーター値センサー１１０のうちの絶対湿度センサーが検出した絶対湿度Ｂが、絶対湿度閾値Ｂｋ２未満であると判断した場合には、１次転写電流を第２電流値Ｉ２に設定するようにしてもよい。また、ステップＳ１１２の処理において、設定部２０６は、環境パラメーター値センサー１１０のうちの絶対湿度センサーが検出した絶対湿度Ｂが、絶対湿度閾値Ｂｋ２以上であると判断した場合（第３設定条件が成立したと判断した場合）には、１次転写電流を第３電流値Ｉ３に設定するようにしてもよい。
【０１２５】
なお、第１設定条件〜第３設定条件のうち少なくとも１つの設定条件が成立した場合に、設定部２０６は、１次転写電流を第３電流値Ｉ３に設定するようにしてもよい。
【０１２６】
また、感光体２の特性によっては、第１設定条件を、「温度Ｔが、温度閾値Ｔｋ未満であるという条件」としてもよい。この場合には、１次転写電流を第２電流値に設定する条件は、「温度Ｔが、温度閾値Ｔｋ以上であるという条件」になる。
【０１２７】
また、第２設定条件を、「湿度Ｈが、湿度閾値Ｈｋ未満であるという条件」としてもよい。この場合には、１次転写電流を第２電流値に設定する条件は、「湿度Ｈが、湿度閾値Ｈｋ以上であるという条件」になる。
【０１２８】
また、第３設定条件を、「絶対湿度Ｂが、絶対湿度閾値Ｂｋ未満であるという条件」としてもよい。この場合には、１次転写電流を第２電流値に設定する条件は、「絶対湿度Ｂが、絶対湿度閾値Ｂｋ以上であるという条件」になる。
【０１２９】
本実施形態の画像形成装置は、画像形成装置が設置されている環境に基づいて、設定部２０６は、１次転写電流の電流値として、２次転写効率を向上させる第３電流値Ｉ３に設定する。したがって、１次転写電流の電流値として第３電流値Ｉ３に設定しない画像形成装置と比較して、２次転写効率を向上させることができる。
【０１３０】
なお、第６実施形態の変形例として、設定部２０６は、第１電流値Ｉ１、第２電流値Ｉ２、および第３電流値Ｉ３の他に、第３電流値Ｉ３よりも大きい１以上の電流値を設定するようにしてもよい。該１以上の電流値は、たとえば、第４電流値Ｉ４（第３電流値Ｉ３よりも大きい電流値）を含む。
【０１３１】
＜第７実施形態＞
前述の実施形態では、駆動パラメーター値Ａと比較される閾値は１つ（第１閾値Ｎ１）であるとして説明した。
【０１３２】
しかしながら、画像形成装置の環境によっては、転写メモリーを要因とする濃度ムラが発生し始めるページ数が変動する場合がある。換言すれば、画像形成装置の環境によっては、図５で示した曲線が変動することにより、濃度ムラが発生する直前の印刷枚数が変動する場合がある。そこで、本実施形態では、画像形成装置の製造者などは、環境パラメーターに応じて（環境パラメーターを変動させて）、該変動させた後の環境パラメーターにおいて濃度ムラが発生する直前の印刷枚数を測定する。そして、画像形成装置の製造者などは、該測定した印刷枚数に基づいて、感光体２の閾値を測定する。
【０１３３】
図１３は、設定部２０６が用いるテーブルの一例である。図１３のテーブルでは、設定部２０６が閾値を第１閾値Ｎ１に設定する条件、および設定部２０６が閾値を第２閾値Ｎ２に設定する条件が規定されている。また、第１閾値Ｎ１＞第２閾値Ｎ２である。図１３のテーブルは予め作成されるテーブルであり、図１３のテーブルはたとえば記憶部２０８に記憶される。
【０１３４】
たとえば、ステップＳ１１２の処理において、設定部２０６は、環境パラメーター値センサー１１０のうちの温度センサーが検出した温度Ｔが、温度閾値Ｔｋ３未満であると判断した場合には、閾値を第１閾値Ｎ１に設定する。また、ステップＳ１１２の処理において、設定部２０６は、環境パラメーター値センサー１１０のうちの温度センサーが検出した温度Ｔが、温度閾値Ｔｋ３以上であると判断した場合（第１閾値条件が成立したと判断した場合）には、閾値を第２閾値Ｎ２に設定する。
【０１３５】
ステップＳ１１２おいては、設定部２０６は、設定した閾値と、特定部２０４が特定した駆動パラメーター値とを比較する。
【０１３６】
また、変形例としてステップＳ１１２の処理において、設定部２０６は、環境パラメーター値センサー１１０のうちの湿度センサーが検出した湿度Ｈが、湿度閾値Ｈｋ３未満であると判断した場合には、閾値を第１閾値Ｎ１に設定するようにしてもよい。また、変形例としてステップＳ１１２の処理において、設定部２０６は、環境パラメーター値センサー１１０のうちの湿度センサーが検出した湿度Ｈが、湿度閾値Ｈｋ３以上であると判断した場合（第２閾値条件が成立したと判断した場合）には、閾値を第２閾値Ｎ２に設定するようにしてもよい。
【０１３７】
また、変形例としてステップＳ１１２の処理において、設定部２０６は、環境パラメーター値センサー１１０のうちの絶対湿度センサーが検出した絶対湿度Ｂが、絶対湿度閾値Ｂｋ３未満であると判断した場合には、閾値を第１閾値Ｎ１に設定するようにしてもよい。また、変形例としてステップＳ１１２の処理において、設定部２０６は、環境パラメーター値センサー１１０のうちの絶対湿度センサーが検出した絶対湿度Ｂが、絶対湿度閾値Ｂｋ３以上であると判断した場合（第３閾値条件が成立したと判断した場合）には、閾値を第２閾値Ｎ２に設定するようにしてもよい。
【０１３８】
なお、第１閾値条件〜第３閾値条件のうち少なくとも１つの設定条件が成立した場合に、設定部２０６は、閾値を第２閾値Ｎ２に設定するようにしてもよい。
【０１３９】
また、感光体２の特性によっては、第１閾値条件を、「温度Ｔが、温度閾値Ｔｋ３未満であるという条件」としてもよい。この場合には、閾値を第１閾値Ｎ１に設定する条件は、「温度Ｔが、温度閾値Ｔｋ３以上であるという条件」になる。
【０１４０】
また、第２閾値条件を、「湿度Ｈが、湿度閾値Ｈｋ３未満であるという条件」としてもよい。この場合には、閾値を第１閾値Ｎ１に設定する条件は、「湿度Ｈが、湿度閾値Ｈｋ３以上であるという条件」になる。
【０１４１】
また、第３閾値条件を、「絶対湿度Ｂが、絶対湿度閾値Ｂｋ３未満であるという条件」としてもよい。この場合には、閾値を第１閾値Ｎ１に設定する条件は、「絶対湿度Ｂが、絶対湿度閾値Ｂｋ３以上であるという条件」になる。
【０１４２】
本実施形態の画像形成装置は、画像形成装置が設置されている環境に基づいて、設定部２０６は、閾値として、第１閾値Ｎ１および第２閾値Ｎ２のいずれかに設定する。したがって、「閾値として、第２閾値Ｎ２に設定しない画像形成装置」と比較して、より細やかな閾値の設定を行うことができる。よって、「閾値として、第２閾値Ｎ２に設定しない画像形成装置」と比較して、濃度ムラをより発生させずに、かつ２次転写効率を向上させることができる。
【０１４３】
＜第８実施形態＞
次に、第８実施形態を説明する。図１４は、第８実施形態の制御装置１８の処理のフローチャートである。また、第８実施形態の画像形成装置は、第６実施形態で説明した第１電流値Ｉ１、第２電流値Ｉ２、および第３電流値Ｉ３を用いるとともに、第７実施形態で説明した第１閾値Ｎ１、および第２閾値Ｎ２とを用いる。なお、第３電流値Ｉ３＞第２電流値Ｉ２＞第１電流値Ｉ１であり、第１閾値Ｎ１＞第２閾値Ｎ２となる。
【０１４４】
図１４の例では、ステップＳ３００において、設定部２０６は、特定部２０４により特定された感光体２の駆動パラメーター値Ａが第１閾値Ｎ１よりも大きいか否かを判断する。ステップＳ３００において、設定部２０６が、駆動パラメーター値Ａが第１閾値Ｎ１よりも大きいと判断した場合には（ステップＳ３００でＹＥＳ）、ステップＳ１１０において、１次転写電流として、第１電流値Ｉ１を設定する。また、ステップＳ３００において、設定部２０６が、駆動パラメーター値Ａが第１閾値Ｎ１以下であると判断した場合には（ステップＳ３００でＮＯ）、処理は、ステップＳ３０２に進む。
【０１４５】
ステップＳ３０２において、設定部２０６は、駆動パラメーター値Ａが第２閾値Ｎ２よりも大きいか否かを判断する。ステップＳ３０２において、設定部２０６が、駆動パラメーター値Ａが第２閾値Ｎ２よりも大きいと判断した場合には（ステップＳ３０２でＹＥＳ）、ステップＳ１１２において、１次転写電流として、第２電流値Ｉ２を設定する。また、ステップＳ３０２において、設定部２０６が、駆動パラメーター値Ａが第２閾値Ｎ２以下であると判断した場合には（ステップＳ３０２でＮＯ）、ステップＳ３０４において、１次転写電流として、第３電流値Ｉ３を設定する。
【０１４６】
このように、設定部２０６は、駆動パラメーター値Ａが第１閾値Ｎ１よりも大きいと判断した場合には、ステップＳ１１０において第１電流値Ｉ１を設定する。また、設定部２０６は、駆動パラメーター値Ａが第１閾値Ｎ１以下でありかつ前記第２閾値Ｎ２よりも大きいと判断した場合には、ステップＳ１１２において第２電流値Ｉ２を設定する。また、設定部２０６は、駆動パラメーター値Ａが第２閾値Ｎ２以下であると判断した場合には、ステップＳ３０４において第３電流値Ｉ３を設定する。
【０１４７】
たとえば、特定部２０４により特定された駆動パラメーター値Ａがとても大きい場合、つまり、駆動パラメーター値Ａが第１閾値Ｎ１よりも大きいと判断された場合には、１次転写電流として大きな電流値としての第１電流値Ｉ１を設定する。これにより、画像形成装置は、駆動パラメーター値Ａがとても大きいと判断された場合であっても、濃度ムラが発生することを防止できる。
【０１４８】
特定部２０４により特定された駆動パラメーター値Ａがとても小さい場合、つまり、駆動パラメーター値Ａが第２閾値Ｎ２よりも小さいと判断された場合には、１次転写電流として小さな電流値としての第３電流値Ｉ３を設定する。したがって、画像形成装置は、濃度ムラが発生することを防止できつつも、２次転写効率を向上させることができる。
【０１４９】
また、特定部２０４により特定された駆動パラメーター値Ａが中程度である場合、つまり、駆動パラメーター値Ａが第１閾値Ｎ１以下であり、かつ第２閾値Ｎ２よりも大きいと判断された場合には、１次転写電流として中程度の電流値としての第２電流値Ｉ２を設定する。したがって、画像形成装置は、濃度ムラが発生することを防止できつつも、２次転写効率を向上させることができる。
【０１５０】
なお、第８実施形態の変形例として、画像形成装置は、２以上の閾値と、３以上の電流値とを用いるようにしてもよい。
【０１５１】
このように、本実施形態の画像形成装置は、２以上の閾値（第１閾値Ｎ１および第２閾値Ｎ２）と、３以上の電流値を用いる。したがって、前述の実施形態と比較して、より細やかに１次転写電流の設定を行うことができる。
【０１５２】
また、第１閾値Ｎ１および第２閾値Ｎ２は予め定められるものであってもよく、画像形成装置の環境パラメーターに応じて定められるようにしてもよい。
【０１５３】
＜第９実施形態＞
本実施形態では、感光体２にトナー像を作像する（感光体２にトナー像を担持させる）構成部をまとめて作像部７０（図６参照）という。作像部７０は、たとえば、帯電部３と、露光部９と、現像部４とを含む。
【０１５４】
設定部２０６が、高い電流値（第２電流値Ｉ２または第３電流値Ｉ３）を設定した場合には、２次転写部１３Ａによる２次転写のトナー濃度が高くなる傾向にある。そこで、本実施形態の画像形成装置は、１次転写電流の電流値が第１電流値Ｉ１に設定された場合であっても、１次転写電流の電流値が第２電流値Ｉ２に設定された場合であっても、２次転写のトナー濃度を均一にするための制御を実行する。
【０１５５】
本実施形態の制御装置１８は、図６において破線で示す条件変更部２１２の機能を有する。条件変更部２１２は、設定部２０６が設定した電流値に応じて、作像部７０の作像条件を変更する。本実施形態では、設定部２０６が１次転写電流を第２電流値に設定した場合に、２次転写のトナー濃度が低下するように、作像条件を変更する。
【０１５６】
図１５は、１次転写電流を第２電流値に設定した場合の作像条件の変更の一例である。作像条件の変更は、図１５の例では、１次転写電流を第１電流値Ｉ１に設定された場合よりも、帯電部３（帯電部）の帯電量を多くするという第１の変更を含む。また、作像条件の変更は、図１５の例では、１次転写電流を第１電流値に設定された場合よりも、露光部９（露光部）の露光強度を弱めるという第２の変更を含む。また、作像条件の変更は、図１５の例では、１次転写電流を第１電流値に設定された場合よりも、現像部４（現像部）の現像バイアスを弱める（現像バイアスの絶対値を小さくする）という第３の変更を含む。条件変更部２１２は、第１の変更、第２の変更、および第３の変更のうち少なくとも１つの変更を行うようにしてもよい。
【０１５７】
なお、感光体２の特性によっては、第１の変更、第２の変更、および第３の変更のうち少なくとも１つを逆の変更としてもよい。たとえば、第１の変更を、１次転写電流を第１電流値に設定された場合よりも、帯電部３（帯電部）の帯電量を少なくするとしてもよい。
【０１５８】
また、変形例として、条件変更部２１２は、設定部２０６が１次転写電流を第１電流値に設定した場合に、２次転写のトナー濃度が増加するように、作像条件を変更するようにしてもよい。
【０１５９】
本実施形態の画像形成装置によれば、設定部２０６は１次転写電流を第２電流値に設定した場合に、２次転写のトナー濃度が低下するように、作像条件を変更する。したがって、設定部２０６が１次転写電流を第１電流値に設定した場合であっても第２電流値に設定した場合であっても、２次転写部１３Ａによる２次転写のトナー濃度を均一にすることができる。
【０１６０】
＜第１０実施形態＞
本実施形態の画像形成装置は、複数色の画像形成ユニット（画像形成ユニット１Ａ〜１Ｄ）を有する。また、複数色の画像形成ユニット１Ａ〜画像形成ユニット１Ｄそれぞれは、ブラックトナー、シアントナー、マゼンダトナー、およびイエロートナーを使用する。つまり、画像形成装置は、複数の色それぞれに対応する該複数の１次転写部１２Ａを有する。
【０１６１】
また、ブラックトナー、シアントナー、マゼンダトナー、およびイエロートナーのうち、特定色のトナーについては、帯電し難いトナーが存在する場合がある。たとえば、ブラックトナーが帯電し難いとする。
【０１６２】
図１６は、１次転写電流を変更する色などを示した図である。図１６に示すように、本実施形態では、帯電し難いブラックトナーについての１次転写部１２Ａの１次転写電流を第２電流値Ｉ２に設定可能である一方、他のトナーについての１次転写部１２Ａの１次転写電流については、第２電流値Ｉ２に設定不可能であることが規定されている。
【０１６３】
本実施形態の設定部２０６は、たとえば、ステップＳ１１２において、帯電し難いブラックトナーについての１次転写部１２Ａの１次転写電流を第２電流値Ｉ２に設定する。一方、設定部２０６は、他の色のトナーについての１次転写部１２Ａの１次転写電流を第１電流値Ｉ１に設定する。
【０１６４】
なお、複数色のトナーについて、帯電し難いトナーが２つ以上あれば、ステップＳ１１２において、設定部２０６は、該２つ以上のトナー（帯電し難いトナー）についての１次転写部１２Ａの１次転写電流を第２電流値Ｉ２に設定し、他のトナーについての１次転写部１２Ａの１次転写電流を第１電流値Ｉ１に設定する。つまり、設定部２０６は、少なくとも１つの１次転写部１２Ａの１次転写電流を第２電流値Ｉ２に設定する。
【０１６５】
本実施形態の画像形成装置は、帯電し難い１以上のトナーについての１次転写部１２Ａの１次転写電流を第２電流値Ｉ２に設定する。したがって、帯電し難い１以上のトナーの２次転写効率を向上させることができる。
【０１６６】
＜変形例＞
次に変形例を説明する。
【０１６７】
（１）  本実施形態の画像形成装置は、複数色のトナーを用いるとして説明した。しかしながら、トナーの色数は１つとしてもよい。たとえば、画像形成装置は、黒色のトナーのみを使用するようにしてもよい。
【０１６８】
（２）  また、本実施形態では、制御装置１８は、ジョブを実行する場合に、感光体２を起動させる。したがって、「感光体２の起動」という表現により、本実施形態の画像形成装置の思想を表現するようにしてもよい。たとえば、図６の手法（Ａ）では、「受付部２０２が受け付けたジョブが完了するときの感光体の累計駆動パラメーター値」から、「受付部２０２が該ジョブを受け付ける前の感光体の累計駆動パラメーター値」を減算すると説明した。たとえば、第１実施形態におけるこの手法（Ａ）を、たとえば、「受付部２０２が受け付けたジョブが完了するときの感光体２の累計駆動パラメーター値」から、「「感光体２が起動したとき」の累計駆動パラメーター値」を減算するとしてもよい。また、第２実施形態においては、特定部２０４が、単位駆動パラメーター値Ａｎを特定する処理を、「感光体の累計駆動パラメーター値」から、「感光体２が直近に起動したときの累計駆動パラメーター値」を減算するとしてもよい。「感光体の累計駆動パラメーター値」は、ｎ枚目の用紙についての累計駆動パラメータ値とし、「感光体２が直近に起動したときの累計駆動パラメーター値」は、ｎ−１枚目の用紙についての累計駆動パラメーター値とする。
【０１６９】
「感光体２が直近に起動したとき」とは、所定期間ｔ以上、感光体の駆動が終了した後の直近の感光体２の起動としてもよい。また、「感光体２が直近に起動したとき」とは、「感光体２が直近に起動した場合において除電部８０により除電されたとき」としてもよい。また、画像形成装置は、たとえば、多数（たとえば、１０００枚）の用紙に印刷する場合には、印刷途中で、一旦、印刷処理を停止する一旦停止処理を実行するようにしてもよい。一旦停止処理の開始により、感光体２は停止するが、一旦停止処理が終了すると（印刷処理が再開されると）感光体２は起動する。「感光体２が直近に起動したとき」とは、「一旦停止処理の終了に伴う感光体２の起動」としてもよい。
【０１７０】
（３）  また、設定部２０６は、１ページに２次点転写されるトナー画像の１次転写においては、該１次転写の途中で、１次転写電流を切り替えるようにしてもよい。また、設定部２０６は、１ページに２次点転写されるトナー画像の１次転写においては、該１次転写の途中で、１次転写電流を切り替えることを制御装置１８などにより禁止されるようにしてもよい。
【０１７１】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１７２】
１Ａ，１Ｂ，１Ｃ，１Ｄ  画像形成ユニット、２  感光体、３  帯電部、４  現像部、４Ａ  現像ローラー、５  感光体クリーニング部、９  露光部、１１  中間転写ベルト、１２  １次転写ローラー、１３  ２次転写ローラー、１２Ａ  １次転写部、１３Ａ  ２次転写部、１４  用紙、１５  クリーニング部、１６  排紙トレー、１７  カセット、１８  制御装置、１９  露光制御部、３０  定着器、３１  加圧ローラー、３２  定着ローラー、３２ｈ  加熱ヒーター、３３  定着温度検知部、３６  排紙ローラー、３８  反転搬送経路、５０  操作部、５１  対向ローラー、５２  冷却ローラー、５５  冷却器、６０  １次転写電流出力部、７０  作像部、８０  除電部、１００  画像形成装置、１１０  環境パラメーター値センサー、２０２  受付部、２０４  特定部、２０６  設定部、２０８  記憶部、２１０  禁止部、２１２  条件変更部。
【図１】
2020148846.tif 000003
【図２】
2020148846.tif 000004
【図３】
2020148846.tif 000005
【図４】
2020148846.tif 000006
【図５】
2020148846.tif 000007
【図６】
2020148846.tif 000008
【図７】
2020148846.tif 000009
【図８】
2020148846.tif 000010
【図９】
2020148846.tif 000011
【図１０】
2020148846.tif 000012
【図１１】
2020148846.tif 000013
【図１２】
2020148846.tif 000014
【図１３】
2020148846.tif 000015
【図１４】
2020148846.tif 000016
【図１５】
2020148846.tif 000017
【図１６】
2020148846.tif 000018